(57)【要約】【課題】音声検出状態と音声出力状態とを容易に区別できる加熱調理器を提供すること。【解決手段】加熱調理器は、被加熱物を収容する加熱室と、表示部(１０，１４１)と、音声を検出する音声検出部(１９)と、音声を出力する音声出力部(９０)と、音声検出部(１９)を起動したり、上記音声出力部(９０)を起動したりする操作部(１４)と、操作部(１４)により音声検出部(１９)が音声を検出するとき、第１の表示を表示するように制御し、操作部(１４)により音声出力部(９０)が音声を出力しているとき、上記第１の表示とは異なる第２の表示を表示するように表示部(１０，１４１)を制御する表示制御部(１３０)とを備える。【選択図】図７
2019124465.tif 000002
【特許請求の範囲】
【請求項１】
被加熱物を収容する加熱室と、
音声を検出する音声検出部と、
上記加熱室の開口部を開閉すると共に、前面に上記音声検出部が設けられた扉と、
上記扉の開状態を検出する開状態検出部と
を備え、
上記開状態検出部が上記扉の開状態を検出した場合には、音声を検出しないように上記音声検出部を制御することを特徴とする加熱調理器。
【発明の詳細な説明】
【技術分野】
【０００１】
本発明は、加熱調理器に関する。
【背景技術】
【０００２】
従来、加熱調理器としては、例えば特開２０１５−１３０２６１号公報（特許文献１）に記載されているものがある。この加熱調理器は、ユーザの音声を検出する音声検出部を備えている。そして、この音声検出部によって、ユーザの音声による加熱時間の延長指示を認識することにより、加熱調理器の加熱時間を延長できる。
【先行技術文献】
【特許文献】
【０００３】
【特許文献１】特開２０１５−１３０２６１号公報
【発明の概要】
【発明が解決しようとする課題】
【０００４】
ところで、上記従来の加熱調理器が、音声を出力する音声出力部を備え、さらに、この音声出力部と音声検出部とを簡単に操作するために操作部を１つだけ設けることが考えられる。
【０００５】
しかしながら、１つの操作部で音声検出部と音声出力部とを操作するとき、音声検出部が音声を検出する音声検出状態であるか、音声出力部が音声を出力する音声出力状態であるかをユーザが容易に区別できないという問題が生じてしまう。
【０００６】
そこで、本発明の課題は、音声検出状態と音声出力状態とをユーザが容易に区別できる加熱調理器を提供することにある。
【課題を解決するための手段】
【０００７】
上記課題を解決するため、本発明の加熱調理器は、
被加熱物を収容する加熱室と、
表示部と、
音声を検出する音声検出部と、
音声を出力する音声出力部と、
上記音声検出部を起動したり、上記音声出力部を起動したりする操作部と、
上記操作部により上記音声検出部が音声を検出するとき、第１の表示を表示するように制御し、上記操作部により上記音声出力部が音声を出力しているとき、上記第１の表示とは異なる第２の表示を表示するように上記表示部を制御する表示制御部と
を備えることを特徴としている。
【０００８】
また、一実施形態の加熱調理器は、
予め定められた音声情報を記憶する記憶部と、
上記音声検出部が検出した音声に対応する検出音声情報と、上記記憶部が記憶している上記音声情報とを照合する照合部と
を有し、
上記表示制御部は、上記照合部が上記検出音声情報と上記音声情報とを照合しているとき、上記第１，第２の表示とは異なる第３の表示を表示するように上記表示部を制御する。
【０００９】
また、一実施形態の加熱調理器は、
上記音声検出部が検出した音声に基づいて、上記音声出力部を制御する音声制御部を備え、
上記表示制御部は、上記音声制御部の制御によって上記音声出力部が音声を出力しているとき、上記第１，第２の表示とは異なる第４の表示を表示するように上記表示部を制御する。
【００１０】
また、一実施形態の加熱調理器は、
上記表示制御部は、音声をリピートさせるための画像を表示するように、上記表示部を制御し、
ユーザが上記画像を選択すると、上記音声出力部が出力している音声を、または、上記音声出力部が音声を出力した後には前回出力した音声と同じ音声を、上記音声出力部が再度出力するように、上記音声出力部を制御する。
【００１１】
また、一実施形態の加熱調理器は、
上記加熱室の開口部を開閉すると共に、前面に上記音声検出部が設けられた扉と、
上記扉の開状態を検出する開状態検出部と
を備え、
上記開状態検出部が上記扉の開状態を検出した場合には、上記扉が開いていると上記音声検出部が音声を検出できないことを、上記音声出力部が出力するように、上記音声出力部を制御する。
【００１２】
また、一実施形態の加熱調理器は、
上記加熱室内の被加熱物を加熱するための加熱部と、
上記音声検出部が検出した音声に含まれる上記加熱部の加熱設定情報に基づいて、上記加熱部の加熱モード、加熱時間、または加熱温度のうちの少なくとも１つを設定する加熱設定部と
を備える。
【発明の効果】
【００１３】
以上より明らかなように、本発明によれば、操作部により上記音声検出部が音声を検出するとき、第１の表示を表示し、操作部により上記音声出力部が音声を出力しているとき、上記第１の表示とは異なる第２の表示を表示するので、音声検出状態と音声出力状態とをユーザが容易に区別できる加熱調理器を提供できる。
【図面の簡単な説明】
【００１４】
【図１】本発明の第１実施形態の加熱調理システムの概略構成図である。
【図２】上記加熱調理システムの加熱調理器における扉閉鎖時の概略正面図である。
【図３】図２に示す加熱調理器における扉開放時の概略正面図である。
【図４】上記加熱調理器の主要部の構成を説明するための模式図である。
【図５】上記加熱調理器の本体ケーシングの一部を取り外した状態の斜視図である。
【図６】上記加熱調理器の操作部の詳細を説明するための模式図である。
【図７】上記加熱調理器の制御ブロック図である。
【図８】上記加熱調理システムの管理サーバの制御ブロック図である。
【図９】上記加熱調理器との対話によって料理を検索するときの制御を説明するためのフローチャートである。
【図１０】図９のフローチャートの続きを示すフローチャートである。
【図１１】上記加熱調理器のカラー液晶パネルの一画面を示す図である。
【図１２】上記カラー液晶パネルの他の画面を示す図である。
【図１３】上記カラー液晶パネルの他の画面を示す図である。
【図１４】上記カラー液晶パネルの他の画面を示す図である。
【図１５】上記カラー液晶パネルの他の画面を示す図である。
【図１６】上記カラー液晶パネルの他の画面を示す図である。
【図１７】上記カラー液晶パネルの他の画面を示す図である。
【図１８】上記カラー液晶パネルの他の画面を示す図である。
【図１９】上記カラー液晶パネルの他の画面を示す図である。
【図２０】上記カラー液晶パネルの他の画面を示す図である。
【図２１】上記カラー液晶パネルの他の画面を示す図である。
【図２２】上記加熱調理器との対話によって料理を評価するときの制御を説明するためのフローチャートである。
【図２３】図２２のフローチャートの続きを示すフローチャートである。
【図２４】上記加熱調理器のカラー液晶パネルの一画面を示す図である。
【図２５】上記カラー液晶パネルの他の画面を示す図である。
【図２６】上記カラー液晶パネルの他の画面を示す図である。
【図２７】上記カラー液晶パネルの他の画面を示す図である。
【図２８】上記カラー液晶パネルの他の画面を示す図である。
【図２９】上記カラー液晶パネルの他の画面を示す図である。
【図３０】本発明の第２実施形態の加熱調理器の制御ブロック図である。
【図３１】上記加熱調理器のカラー液晶パネルの一画面を示す図である。
【図３２】上記加熱調理器の音声出力のリピート機能を実行するときの制御を説明するためのフローチャートである。
【図３３】本発明の第３実施形態の加熱調理器の制御ブロック図である。
【図３４】上記加熱調理器の扉が開いているときの制御を説明するためのフローチャートである。
【図３５】本発明の第４実施形態の加熱調理器の制御ブロック図である。
【図３６】上記加熱調理器の加熱設定をするときの制御を説明するためのフローチャートである。
【発明を実施するための形態】
【００１５】
以下、本発明を図示の実施の形態により詳細に説明する。
【００１６】
〔第１実施形態〕
図１は本発明の第１実施形態の加熱調理器を含む加熱調理システムの概略構成図を示している。
【００１７】
上記加熱調理システムは、加熱調理器１００と、この加熱調理器１００と通信する管理サーバ５００とを備える。なお、加熱調理システムは、インターネット網Ｎを介して情報提供サーバ(図示せず)から天気などの情報の提供を受ける。
【００１８】
上記加熱調理器１００は、無線アクセスポイント２００およびインターネット網Ｎを介して管理サーバ５００と通信を行う無線通信モジュール１２０を備える。なお、無線通信モジュール１２０が直接インターネット網Ｎに接続されるようにしてもよい。
【００１９】
上記無線通信モジュール１２０は、屋内の無線アクセスポイント２００との間で無線ＬＡＮによる通信を行う。より詳しくは、無線通信モジュール１２０は、通信規格の一例としての無線ＬＡＮの規格であるＷｉ-Ｆｉ(登録商標)を用い、無線アクセスポイント２０
０およびインターネット網Ｎを介して、管理サーバ５００に情報を送信したり受信したりする。
【００２０】
図２は、加熱調理器１００における扉閉鎖時の概略正面図である。図３は、図２の加熱
調理器における扉開放時の概略正面図である。
【００２１】
上記加熱調理器１００は、図２および図３に示すように、直方体形状の本体ケーシング１と、この本体ケーシング１内に設けられ、前側に開口部２aを有する加熱室２と、加熱
室２の開口部２aを開閉する扉３とを備えている。
【００２２】
上記本体ケーシング１の上側且つ後側に、吹出口５aを有する排気ダクト５を設けてい
る。また、本体ケーシング１の前面の下部に露受容器６を着脱可能に取り付けている。この露受容器６は、扉３の下側に位置し、扉３の後面(加熱室２側の表面)や本体ケーシング１の前板５５からの水滴を受けることができるようになっている。また、本体ケーシング１の前面の下部には、給水タンク２６が着脱可能に取り付けられている。また、本体ケーシング１の前面の下部には、音声を出力する図示しないスピーカが取り付けられている。
【００２３】
上記扉３は、本体ケーシング１の前面側に下側の辺を軸に回動可能に取り付けられている。この扉３の前面(加熱室２側とは反対側の表面)には、耐熱性を有する透明な外ガラス７が設けられている。また、扉３は、外ガラス７の上側に位置するハンドル８と、上記前面から見て外ガラス７の右側に設けられた操作パネル９とを有している。
【００２４】
上記操作パネル９は、カラー液晶パネル１０およびボタン群１１を有している。操作パネル９には、無線通信の通信状況を示すコネクトランプ１８が設けられている。また、操作パネル９の前面には、音声を検出するマイク１９が設けられている。
【００２５】
上記加熱室２内には、被加熱物８９が収容される。また、加熱室２内には、金属製の調理トレイ９１,９２(図４参照)が出し入れ可能に装着される。上記前面から見て加熱室２
の左側面部２b,右側面部２cのなお内面には、調理トレイ９１を支持する上棚受け１６Ａ,１６Ｂが設けられている。また、加熱室２の右側面部２c,左側面部２bの内面には、上棚受け１６Ａ,１６Ｂよりも下側に位置するように、調理トレイ９２を支持する下棚受け１７Ａ,１７Ｂが設けられている。
【００２６】
図４は、上記加熱調理器の主要部の構成を説明するための模式図であり、加熱室２を上記左側から見た状態を示している。なお、図４においては、図２および図３と同一の構成部には、同一参照番号を付している。
【００２７】
上記加熱調理器は、循環ダクト１７と、循環ファン１９１と、ヒータ２０と、循環ダンパ２３と、チューブポンプ２５と、給水タンク２６および蒸気発生装置７０とを備えている。上記ヒータ２０は、例えばシーズヒータで構成されている。尚、チューブポンプ２５は、駆動方向によって給水動作と排水動作とを切り替え可能なポンプであれば、どのようなポンプであっても差し支えない。
【００２８】
上記加熱室２の天面部２eは、後方に向かって徐々に低くなるように水平方向に対して
傾斜する傾斜部２fを後部に有し、この傾斜部２fを介して加熱室２の後面部２dと連なっ
ている。この傾斜部２fに、循環ファン１９１と対向するように複数の吸込口２７を設け
ている(図３参照)。また、加熱室２の天面部２eに上吹出口２８を複数設けている。また
、加熱室２の後面部２dには、第１後吹出口２９,第２後吹出口３０および第３後吹出口３１を、夫々複数設けている(図３参照)。なお、図３では、複数の吸込口２７のうちの１個だけを示している。また、図４では、第１後吹出口２９,第２後吹出口３０および第３後吹出口３１は、各１個だけで示している。
【００２９】
上記循環ダクト１７は、吸込口２７,上吹出口２８および第１〜第３後吹出口２９〜３
１を介して加熱室２内と連通している。この循環ダクト１７は、加熱室２の上側から後側
に亘って設けられて、逆Ｌ字形状を呈するように延在している。また、循環ダクト１７の左右方向の幅は、加熱室２の左右方向の幅よりも狭く設定されている。
【００３０】
上記循環ファン１９１は、遠心ファンであって、循環ファン用モータ５６によって駆動される。この循環ファン用モータ５６が循環ファン１９１を駆動することによって、加熱室２内の空気や飽和蒸気(以下、「空気等」と言う)が、複数の吸込口２７から循環ダクト１７内に吸い込まれ、循環ファン１９１の径方向外側に吹き出される。より詳しくは、循環ファン１９１の上側では、空気等は、循環ファン１９１から斜め上方に流れた後、後方から前方に向かって流れる。一方、循環ファン１９１の下側では、空気等は、循環ファン１９１から斜め下方に流れた後、上方から下方に向かって流れる。
【００３１】
上記循環ダンパ２３は、循環ダクト１７内に回動可能に設けられている。
【００３２】
また、蒸気発生装置７０は、上側開口を有する金属製の蒸気発生容器７１と、その蒸気発生容器７１の上側開口を覆う耐熱性樹脂(例えばＰＰＳ(ポリフェニレンサルファイド)
樹脂)からなる蓋部７２と、蒸気発生容器７１の底部７１aに鋳込まれたシーズヒータからなる蒸気発生用ヒータ７３とを有する。この蒸気発生容器７１の底部７１a上には給水タ
ンク２６からの水が溜まり、この水は蒸気発生用ヒータ７３によって蒸気発生容器７１を介して加熱される。そして、蒸気発生用ヒータ７３による加熱で発生した飽和蒸気は、樹脂製の蒸気チューブ３５と金属製の蒸気管３６とを流れて、複数の蒸気供給口３７を介して加熱室２内に供給される(図３参照)。なお、図４においては、複数の蒸気供給口３７のうちの１個だけを示している。
【００３３】
そして、上記複数の蒸気供給口３７を介して加熱室２内に供給された飽和蒸気は、循環ファン１９１の機能によって、複数の吸込口２７から循環ダクト１７内に吸い込まれ、ヒータ２０によって加熱されて１００℃以上の過熱蒸気となり、上吹出口２８,第１後吹出口２９,第２後吹出口３０および第３後吹出口３１から、加熱室２内に吹き出される。こうして、上記過熱蒸気が、加熱室２内および循環ダクト１７内を空気と共に循環して、加熱調理が行われる。
【００３４】
また、上記蓋部７２には、一対の電極棒７５a,７５bから成る水位センサ７５が取り付
けられている。この電極棒７５a,７５bの間が導通状態になったか否かに基づいて、蒸気
発生容器７１の底部７１a上の水位が所定水位になったか否かが判定される。
【００３５】
上記チューブポンプ２５は、シリコンゴム等からなる弾性変形可能な給排水チューブ４０を回転するローラ(図示せず)でしごき、そのローラの駆動方向によって、給水タンク２６内の水を蒸気発生装置７０に流したり、蒸気発生装置７０内の水を給水タンク２６に流したりする。
【００３６】
上記給水タンク２６は、給水タンク本体４１および連通管４２を有する。この連通管４２の一端部が給水タンク本体４１内に位置する一方、連通管４２の他端部が給水タンク２６外に位置する。給水タンク２６がタンクカバー４３内に収容されると、連通管４２の他端部がタンクジョイント部４４を介して給排水チューブ４０に接続される。すなわち、給水タンク本体４１内が連通管４２などを介して蒸気発生装置７０内と連通する。
【００３７】
図５は、本体ケーシング１(図２参照)の上面と両側面を覆う上面板１aと裏面板(図示せず)を取り外した状態の本加熱調理器を、後方且つ斜め上方から見た斜視図を示す。図５
において、図２〜図４と同一の構成部には、同一参照番号を付している。
【００３８】
図５に示すように、上記加熱室２の後側且つ上記左側(図５では右側)に給気ユニット９
９を設けている。この給気ユニット９９は、下側に配置された給気ファン５４と、その給気ファン５４から上方に向かって延在する給気通路１０１と、給気通路１０１の上側から分岐して、加熱室２の後側上部の中央に位置する循環ファン用モータ５６に向かって延在する第１冷却通路１０２とを有している。すなわち、給気ユニット９９は、給気ファン５４から上方に逆Ｌ字形状を呈するように延在している。
【００３９】
上記加熱室２の後側且つ上記右側(図５では左側)に排気ユニット２０１を設けている。この排気ユニット２０１は、排気ユニット用カバー２２０を含むハウジング２１０と、ハウジング２１０の下側に配置された排気ファン４７とを有している。排気ユニット２０１における上部の右側方(図５では左側)に排気ダンパ用モータ６０を配置している。この排気ダンパ用モータ６０により、排気ユニット２０１内の上部に設けられた排気ダンパ(図
示せず)が開閉される。
【００４０】
また、上記加熱室２の天面部２eに設けられた凹部３１０に赤外線センサユニット３０
０を配置している。
【００４１】
上記加熱室２の天面部２eで且つ赤外線センサユニット３００の側方に、仕切板３１２
を前後方向に立設している。この仕切板３１２によって、給気ダンパ近傍に設けられた第２冷却通路から赤外線センサユニット３００が配置された流路に流れる冷却風が、本体ケーシング１内の上記左側面側に流れ出ないように遮っている。
【００４２】
図６は、図２に示す操作パネル９を拡大した概略図である。
【００４３】
上記ボタン群１１は、複数の物理キーの集まりである。より詳しくは、上記ボタン群１１は、「手動加熱」キー１２、「戻る」キー１３、「おはなし」キー１４、「とりけし」キー１５および「あたためスタート」キー１６で構成されている。なお、図６においては、図２と同一の構成部には、同一参照番号を付している。
【００４４】
「手動加熱」キー１２は、高周波出力および加熱出力を手動で設定するときに押す。「戻る」キー１３は、カラー液晶パネル１０の画面表示を直前の画面表示に戻すときに押す。また、「とりけし」キー１５は、途中で加熱を止めるときや、操作を取り消すときに押す。また、「あたためスタート」キー１６は、加熱を開始するときに押す。
【００４５】
「おはなし」キー１４は、マイク１９を起動したり、スピーカ９０を起動したりするキーであり、加熱調理器１００と対話するときにユーザによって押される。ここで、「おはなし」キー１４の下部には、ＬＥＤランプ１４１が設けられている。なお、「おはなし」キー１４は、上記操作部の一例である。また、上記カラー液晶パネル１０およびＬＥＤランプ１４１は、上記表示部の一例である。
【００４６】
上記加熱調理器は、マイクロコンピュータおよび入出力回路等からなる制御装置１１０を備えている。図７は、制御装置１１０による加熱調理器の制御ブロック図を示す。
【００４７】
上記制御装置１１０には、ヒータ２０,蒸気発生用ヒータ７３,循環ファン用モータ５６,排気ファン用モータ５７,給気ファン用モータ５８,循環ダンパ用モータ５９,排気ダンパ用モータ６０,給気ダンパ用モータ６１,冷却ダンパ用モータ６２,操作パネル９,湿度センサ５３,庫内温度センサ７６,水位センサ７５,チューブポンプ２５,扉センサ３９,マグネトロン４，マイク１９,スピーカ９０,無線通信モジュール１２０等が接続されている。ここで、扉センサ３９は、扉３の開状態を検出するようになっている。なお、扉センサ３９は、上記開状態検出部の一例である。
【００４８】
そして、上記制御装置１１０は、操作パネル９,湿度センサ５３,庫内温度センサ７６,
水位センサ７５，扉センサ３９等からの信号に基づいて、ヒータ２０,蒸気発生用ヒータ
７３,循環ファン用モータ５６,排気ファン用モータ５７,給気ファン用モータ５８,循環ダンパ用モータ５９,排気ダンパ用モータ６０,給気ダンパ用モータ６１,冷却ダンパ用モー
タ６２,チューブポンプ２５,マグネトロン４等を制御して、被加熱物８９に対する暖め,
蒸し,茹で,調理等を行う。
【００４９】
また、上記制御装置１１０は、マイク１９やスピーカ９０を制御する。スピーカ９０は、音声、報知音、メロディ音、キータッチ音などを出力する。なお、マイク１９は、上記音声検出部の一例である。スピーカ９０は、上記音声出力部の一例である。
【００５０】
また、上記制御装置１１０は、表示制御部１３０と、スピーカ制御部１４０と、音声情報記憶部１５０と、照合部１６０と、お気に入り調理メニュー記憶部１７０とを有する。
【００５１】
上記表示制御部１３０は、カラー液晶パネル１０およびＬＥＤランプ１４１を制御するようになっている。スピーカ制御部１４０は、スピーカ９０を制御するようになっている。音声情報記憶部１５０は、予め定められた音声情報を記憶するようになっている。照合部１６０は、マイク１９が検出した音声に対応する検出音声情報と音声情報記憶部１５０が記憶している音声情報とを照合するようになっている。お気に入り調理メニュー記憶部１７０は、インターネット網Ｎを介して管理サーバ５００からダウンロードした調理メニューのレシピ情報等を記憶するようになっている。なお、音声情報記憶部１５０は、上記記憶部の一例である。
【００５２】
図８は、管理サーバ５００の制御ブロック図を示している。
【００５３】
この管理サーバ５００は、図８に示すように、加熱調理器１００への調理メニュー等のダウンロード履歴や加熱調理器１００の調理履歴等を記憶する履歴記憶部５１０と、加熱調理器１００が利用可能な調理メニューのレシピ情報や、メニューリスト、高評価メニューのリスト等を記憶するレシピ情報記憶部５２０と、加熱調理器１００が利用した調理メニューの評価を記憶する調理メニュー評価記憶部５３０と、加熱調理器１００とインターネット網Ｎを介した通信を行う通信部５４０とを有する。
【００５４】
次に、上記加熱調理器１００との対話によって料理を検索する方法について説明する。
【００５５】
図９および１０は、加熱調理器１００との対話によって料理を検索するときの制御を説明するためのフローチャートである。
【００５６】
上記制御がスタートすると、まず、ステップＳ１０１で、制御装置１１０は、「おはなし」キー１４が選択されたか否かを判定する。このステップＳ１０１で、「おはなし」キー１４が選択されていないと判定されると、再び、ステップＳ１０１を行う。一方、ステップＳ１０１で、「おはなし」キー１４が選択されたと判定されると、次のステップＳ１０２に進む。
【００５７】
次に、ステップＳ１０２で、スピーカ制御部１４０がスピーカ９０に音声を出力させて発話する。また、表示制御部１３０がカラー液晶パネル１０に発話中の表示を表示させると共に、ＬＥＤランプ１４１を青色に点灯させ、次のステップＳ１０３に進む。上記音声の一例としては、「はーい」がある。また、上記発話中の表示の一例としては、図１１の画面がある。この画面の色は、青色である。このように上記画面の色をＬＥＤランプ１４１の点灯色と同じ色にすることで、ユーザは、ＬＥＤランプ１４１だけでなく、カラー液晶パネル１０からも、発話中であることが分かる。
【００５８】
次に、ステップＳ１０３で、表示制御部１３０がカラー液晶パネル１０に音声入力待ちの表示を表示させると共に、ＬＥＤランプ１４１を緑色に点滅させて、次のステップＳ１０４に進む。上記音声入力待ちの表示の一例としては、図１２の画面がある。この画面の色は、緑色である。
【００５９】
次に、ステップＳ１０４で、制御装置１１０は、マイク１９が音声検出を開始したか否かを判定する。このステップＳ１０４で、マイク１９が音声検出を開始していないと判定されると、再び、ステップＳ１０４を行う。一方、ステップＳ１０４で、マイク１９が音声検出を開始したと判定されると、次のステップＳ１０５に進む。
【００６０】
次に、ステップＳ１０５で、表示制御部１３０がカラー液晶パネル１０に音声検出中の表示を表示させると共に、ＬＥＤランプ１４１を緑色に点灯させ、次のステップＳ１０６に進む。この検出する音声の一例としては、「豚肉と人参を使ったレシピを教えて」がある。上記音声検出中の表示の一例としては、図１３の画面がある。この画面の色は、緑色である。なお、上記音声入力待ちおよび上記音声検出中は、上記音声検出状態に含まれる。また、上記音声入力待ちの表示および上記音声検出中の表示は、上記第１の表示の一例である。
【００６１】
次に、ステップＳ１０６で、制御装置１１０は、マイク１９が音声の検出を終了したか否かを判定する。このステップＳ１０６で、マイク１９が音声検出を終了していないと判定されると、再び、ステップＳ１０６を行う。一方、ステップＳ１０６で、マイク１９が音声検出を終了したと判定されると、次のステップＳ１０７に進む。
【００６２】
次に、ステップＳ１０７で、表示制御部１３０は、カラー液晶パネル１０に考え中の表示を表示させると共に、ＬＥＤランプ１４１を青色に点滅させ、次のステップＳ１０８に進む。上記考え中の表示の一例としては、図１４の画面がある。この画面の色は、青色である。なお、上記考え中の表示は、上記第３の表示の一例である。
【００６３】
次に、ステップＳ１０８で、制御装置１１０は、音声認識できたか否かを判定する。より詳しくは、このステップＳ１０８で、照合部１６０は、マイク１９が検出した音声に対応する検出音声情報と音声情報記憶部１５０が記憶している音声情報とを照合する。照合部１６０が照合できたと判定すると、次のステップＳ１０９に進む一方、照合できなかったと判定すると、次のステップＳ１１０に進む。
【００６４】
次に、ステップＳ１０９で、スピーカ制御部１４０は、照合部の照合結果に基づいて、スピーカ９０に音声を出力させる。このとき、ステップＳ１０２と同様に、表示制御部１３０は、カラー液晶パネル１０に発話中の表示を表示させると共に、ＬＥＤランプ１４１を青色に点灯させる。その後、次のステップＳ１１１に進む。上記音声の一例としては、「豚肉と人参で検索したよ。れんこんの肉詰め＆人参チーズあえは、どうですか。画面でも確認してみてね」がある。上記発話中の表示の一例としては、図１１の画面がある。この画面の色は、青色である。なお、上記発話中の表示は、上記第４の表示の一例である。
【００６５】
一方、ステップＳ１１０で、表示制御部１３０は、カラー液晶パネル１０に音声認識失敗の表示を表示させると共に、ＬＥＤランプ１４１を黄色に点滅させて、ステップＳ１０３に戻る。上記音声認識失敗の表示の一例としては、図１５の画面がある。この画面の色は、黄色である。
【００６６】
次に、ステップＳ１１１で、制御装置１１０は、インターネット網Ｎを介して管理サーバ５００のレシピ情報記憶部５２０からメニューのリストをダウンロードする。そして、
表示制御部１３０は、カラー液晶パネル１０に、例えば図１６に示すようなダウンロード中の表示を表示させた後、図１７に示すようなメニューのリストを表示させる。
【００６７】
図１７のメニューのリストは、ソフトキーである画像Ｇ１〜Ｇ４を含んでいる。これらの画像Ｇ１〜Ｇ４は、調理メニューを選択するための画像である。ここで、ユーザが画像Ｇ１を選択すると、表示制御部１３０がカラー液晶パネル１０に、図１６に示すようなダウンロード中の表示を表示させた後、図１８に示すようなメニュー写真を表示させる。
【００６８】
図１８のメニュー写真の下には、ソフトキーである画像Ｇ５,Ｇ６を含んでいる。この
画像Ｇ５は、表示されているメニュー（れんこんの肉詰め＆人参チーズあえ）の情報を保存するための画像である。ユーザが画像Ｇ５を選択すると、表示制御部１３０がカラー液晶パネル１０に、図１９に示すような保存中の表示を表示させた後、上記メニューの情報がお気に入り調理メニュー記憶部１７０に保存される。この保存が完了すると、表示制御部１３０がカラー液晶パネル１０に、図２０に示すような画面を表示する。
【００６９】
図２０の画面は、ソフトキーである画像Ｇ７〜Ｇ９を含んでいる。これらの画像Ｇ７〜Ｇ９は、調理メニューを選択するための画像である。ここで、ユーザが画像Ｇ７を選択すると、表示制御部１３０がカラー液晶パネル１０に、図２１に示すような加熱設定画面を表示させる。
【００７０】
図２１の画面は、ソフトキーである画像Ｇ１０，Ｇ１１を含んでいる。これらの画像Ｇ１０，Ｇ１１は、カラー液晶パネル１０が直前に表示していた自動メニューの分量を選択するための画像である。画像Ｇ１０，Ｇ１１のうち、選択されている方の色は橙色となる一方、選択されていない方の色は灰色となる。このような状態で、ユーザが「あたためスタート」キー１６を押すと、加熱調理が開始する。
【００７１】
次に、上記加熱調理器１００との対話によって料理を評価する方法について説明する。
【００７２】
図２２は、加熱調理器１００との対話によって料理を評価するときの制御を説明するためのフローチャートである。
【００７３】
上記制御がスタートすると、まず、ステップＳ２０１で、制御装置１１０は、管理サーバ５００から料理の評価の問合せが来たか否かを判定する。このステップＳ２０１で、管理サーバ５００から料理の評価の問合せが来ていないと判定されると、再び、ステップＳ２０１を行う。一方、ステップＳ２０１で、管理サーバ５００から料理の評価の問合せが来たと判定されると、次のステップＳ２０２に進む。
【００７４】
次に、ステップＳ２０２で、表示制御部１３０がＬＥＤランプ１４１をピンク色に点灯させ、次のステップＳ２０３に進む。
【００７５】
次に、ステップＳ２０３で、制御装置１１０は、「おはなし」キー１４が選択されたか否かを判定する。このステップＳ２０３で、「おはなし」キー１４が選択されていないと判定されると、再び、ステップＳ２０３を行う。一方、ステップＳ２０３で、「おはなし」キー１４が選択されたと判定されると、次のステップＳ２０４に進む。
【００７６】
次に、ステップＳ２０４で、スピーカ制御部１４０がスピーカ９０に音声を出力させて発話する。この音声出力状態であるとき、表示制御部１３０がカラー液晶パネル１０に発話中の表示を表示させると共に、ＬＥＤランプ１４１をピンク色に点灯させ、次のステップＳ２０５に進む。上記音声の一例としては、「ダウンロードした「ローストチキン」はどうだった？星３つで評価してね」がある。上記発話中の表示の一例としては、図１１の
画面がある。この画面の色は、ピンク色である。なお、上記発話中の表示は、上記第２の表示の一例である。
【００７７】
次に、ステップＳ２０５で、表示制御部１３０がカラー液晶パネル１０に音声入力待ちの表示を表示させると共に、ＬＥＤランプ１４１を緑色に点滅させて、次のステップＳ２０６に進む。上記音声入力待ちの表示の一例としては、図１２の画面がある。この画面の色は、緑色である。
【００７８】
次に、ステップＳ２０６で、制御装置１１０は、マイク１９が音声検出を開始したか否かを判定する。このステップＳ２０６で、マイク１９が音声検出を開始していないと判定されると、再び、ステップＳ２０６を行う。一方、ステップＳ２０６で、マイク１９が音声検出を開始したと判定されると、次のステップＳ２０７に進む。
【００７９】
次に、ステップＳ２０７で、表示制御部１３０がカラー液晶パネル１０に音声検出中の表示を表示させると共に、ＬＥＤランプ１４１を緑色に点灯させ、次のステップＳ２０８に進む。この検出する音声の一例としては、「星３つ」がある。上記音声検出中の表示の一例としては、図１３の画面がある。この画面の色は、緑色である。
【００８０】
次に、ステップＳ２０８で、制御装置１１０は、マイク１９が音声の検出を終了したか否かを判定する。このステップＳ２０８で、マイク１９が音声検出を終了していないと判定されると、再び、ステップＳ２０８を行う。一方、ステップＳ２０８で、マイク１９が音声検出を終了したと判定されると、次のステップＳ２０９に進む。
【００８１】
次に、ステップＳ２０９で、表示制御部１３０は、カラー液晶パネル１０に考え中の表示を表示させると共に、ＬＥＤランプ１４１を青色に点滅させ、次のステップＳ２１０に進む。上記考え中の表示の一例としては、図１４の画面がある。この画面の色は、青色である。
【００８２】
次に、ステップＳ２１０で、制御装置１１０は、音声認識できたか否かを判定する。より詳しくは、このステップＳ１０８で、照合部１６０は、マイク１９が検出した音声に対応する検出音声情報と音声情報記憶部１５０が記憶している音声情報とを照合する。照合部１６０が照合できたと判定すると、次のステップＳ２１１に進む一方、照合できなかったと判定すると、次のステップＳ２１２に進む。
【００８３】
次に、ステップＳ２１１で、スピーカ制御部１４０は、照合部の照合結果に基づいて、スピーカ９０に音声を出力させる。このとき、ステップＳ２０４と同様に、表示制御部１３０は、カラー液晶パネル１０に発話中の表示を表示させると共に、ＬＥＤランプ１４１を青色に点灯させる。その後、次のステップＳ２１３に進む。上記音声の一例としては、「星３つだね。ありがとう」がある。上記発話中の表示の一例としては、図１１の画面がある。この画面の色は、青色である。
【００８４】
一方、ステップＳ２１２で、表示制御部１３０は、カラー液晶パネル１０に音声認識失敗の表示を表示させると共に、ＬＥＤランプ１４１を黄色に点滅させて、ステップＳ２０５に戻る。上記音声認識失敗の表示の一例としては、図１５の画面がある。この画面の色は、黄色である。
【００８５】
次に、ステップＳ２１３で、制御装置１１０は、インターネット網Ｎを介して管理サーバ５００の調理メニュー評価記憶部５３０にメニューの評価をアップロードする。
【００８６】
このように、メニューの評価を直接ユーザに聞くことができるので、従来のようにユー
ザビリティテスト等、ユーザに会う必要がなくなり、メニューの評価を従来よりも簡単に、かつ、より多く聞くことができる。
【００８７】
次に、上記加熱調理器１００のカラー液晶パネル１０を操作して、高評価メニューを調理する方法について説明する。
【００８８】
まず、表示制御部１３０がカラー液晶パネル１０に、例えば図２４に示すような基本ボタンを表示させる。
【００８９】
図２４の基本ボタンは、ソフトキーである画像Ｇ２１〜Ｇ２９を含んでいる。これらの画像Ｇ２１〜Ｇ２９は、加熱調理の操作を選択するための画像である。ここで、ユーザが画像Ｇ２６を選択すると、表示制御部１３０がカラー液晶パネル１０に、図２５に示すようなセレクトメニューを表示させる。
【００９０】
図２５のセレクトメニューは、ソフトキーである画像Ｇ３１〜Ｇ３８を含んでいる。これらの画像Ｇ３１〜Ｇ３８は、加熱調理のメニューを様々な切り口から選択するための画像である。ここで、ユーザが画像Ｇ３７を選択すると、制御装置１１０は、インターネット網Ｎを介して管理サーバ５００のレシピ情報記憶部５２０から高評価メニューのリストをダウンロードする。そして、表示制御部１３０がカラー液晶パネル１０に、図２６に示すような高評価メニューのリストを表示させる。これにより、自分以外のユーザが良い評価を行った調理メニューを上記高評価メニューのリストから知ることができる。
【００９１】
図２６の高評価メニューは、ソフトキーである画像Ｇ３９を含んでいる。この画像Ｇ３９は、加熱調理のメニューを選択するための画像である。画像Ｇ３９の一例としては、「ローストチキン」がある。ここで、ユーザが画像Ｇ３９を選択すると、制御装置１１０は、インターネット網Ｎを介して管理サーバ５００のレシピ情報記憶部５２０から高評価メニューの写真および仕様をダウンロードする。そして、表示制御部１３０がカラー液晶パネル１０に、図２７に示すようなメニュー写真を表示させる。
【００９２】
図２７のメニュー写真の下には、ソフトキーである画像Ｇ４１,Ｇ４２を含んでいる。
この画像Ｇ４１は、表示されているメニュー（ローストチキン）の情報を保存するための画像である。ユーザが画像Ｇ４１を選択すると、上記メニューの情報がお気に入り調理メニュー記憶部１７０に保存される。この保存が完了すると、表示制御部１３０がカラー液晶パネル１０に、図２８に示すような画面を表示する。
【００９３】
図２８の画面は、ソフトキーである画像Ｇ４３〜Ｇ４５を含んでいる。これらの画像Ｇ４３〜Ｇ４５は、調理メニューを選択するための画像である。ここで、ユーザが画像Ｇ４３を選択すると、表示制御部１３０がカラー液晶パネル１０に、図２９に示すような加熱設定画面を表示させる。
【００９４】
図２９の画面は、カラー液晶パネル１０が直前に表示していた上記メニューの加熱条件を確認するための画像である。このような状態で、ユーザが「あたためスタート」キー１６を押すと、加熱調理が開始する。
【００９５】
上記構成の加熱調理器１００によれば、上記表示制御部１３０によって、上記マイク１９が音声を検出する音声検出状態のとき、上記音声入力待ちの表示および上記音声検出中の表示がカラー液晶パネル１０やＬＥＤランプ１４１に表示され、上記スピーカ９０が音声を出力している音声出力状態のとき、上記発話中の表示がカラー液晶パネル１０やＬＥＤランプ１４１に表示される。したがって、ユーザは、上記音声入力待ちの表示および上記音声検出中の表示と、上記発話中の表示とによって、上記音声検出状態と上記音声出力状態とを容易に区別できる。
【００９６】
また、上記表示制御部１３０によって、上記照合部１６０が上記検出音声情報と上記音声情報とを照合しているとき、上記考え中の表示が上記表示部１０，１４１に表示される。したがって、ユーザは、上記考え中の表示によって、照合部１６０が上記検出音声情報と上記音声情報とを照合していることを容易に判別できる。
【００９７】
また、上記表示制御部１３０によって、上記音声制御部１４０の制御によって上記スピーカ９０が音声を出力しているとき、上記発話中の表示が上記表示部１０，１４１に表示される。したがって、ユーザは、上記発話中の表示によって、スピーカ９０が音声を出力していることを容易に判別できる。
【００９８】
（第２実施形態）
図３０は本発明の第２実施形態の加熱調理器の制御ブロック図である。なお、図３０において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【００９９】
上記加熱調理器は、上記第１実施形態の加熱調理器と比べ、制御装置１１１０を備えている点だけが異なっている。この制御装置１１１０は、制御装置１１０とは一部が異なるが、制御装置１１０と同様に、マイクロコンピュータと入出力回路などからなる。
【０１００】
また、上記制御装置１１１０は、スピーカ制御部１１４０を有している。スピーカ制御部１１４０も、スピーカ制御部１４０と同様に、ソフトウェアで構成されている。
【０１０１】
この第２実施形態の加熱調理器は、上記第１実施形態の加熱調理器と同様に、被加熱物８９を加熱することができる。
【０１０２】
図３１のカラー液晶パネル１０の上記発話中の表示は、ソフトキーである画像Ｇ１０１を含んでいる。この画像Ｇ１０１は、音声をリピートさせるための画像である。上記スピーカ制御部１１４０は、ユーザが画像Ｇ１０１をタッチして選択すると、スピーカ９０が出力している音声を、または、スピーカ９０が音声を出力した後には前回出力した音声と同じ音声を、スピーカ９０が再度出力するように、スピーカ９０を制御するようになっている。
【０１０３】
図３２は、上記スピーカ制御部１１４０の制御を説明するためのフローチャートである。この制御は、カラー液晶パネル１０が上記画像Ｇ１０１を表示すると、スタートする。
【０１０４】
上記制御がスタートすると、まず、ステップＳ３０１で、画像Ｇ１０１が選択されたか否かを判定する。このステップＳ３０１で、画像Ｇ１０１が選択されていないと判定されると、再び、ステップＳ３０１を行う。一方、ステップＳ３０１で、画像Ｇ１０１が選択されたと判定されると、次のステップＳ３０２に進む。
【０１０５】
次に、ステップＳ３０２で、制御装置１１１０は、スピーカ９０が発話を終了したか否かを判定する。スピーカ９０が発話を終了したと判定すると、次のステップＳ３０３に進む一方、発話が終了していないと判定すると、次のステップＳ３０４に進む。
【０１０６】
次に、ステップＳ３０３で、スピーカ制御部１１４０は、スピーカ９０が前回発話した内容と同じ内容を再度発話するように制御する。具体的には、前回、スピーカ９０が「マヨネーズや七味をかけてどうぞ」という音声を出力していた場合、スピーカ９０が「マヨ
ネーズや七味をかけてどうぞ」という音声を再び出力する。
【０１０７】
一方、ステップＳ３０４で、スピーカ制御部１１４０は、スピーカ９０が発話中の内容と同じ内容を再度始めから発話するように制御して、ステップＳ３０１に戻る。
【０１０８】
このように、上記スピーカ制御部１１４０は、ユーザが画像Ｇ１０１を選択すると、スピーカ９０を制御して、スピーカ９０が出力している音声を、または、スピーカ９０が音声を出力した後には前回出力した音声と同じ音声を、スピーカ９０が再度出力する。したがって、ユーザは、スピーカ９０が出力した音声の内容を聞き逃したとき、この音声の内容を聞き直すことができる。
【０１０９】
上記第２実施形態では、カラー液晶パネル１０が、画像Ｇ１０１を表示していたが、画像Ｇ１０１を表示しないようにしてもよい。このようにする場合、スピーカ９０に上記リピート出力をさせるための物理キーを操作パネルに設けてもよい。
【０１１０】
また、画像Ｇ１０１の選択は、ユーザのタッチで行えるようにしていたが、押ボタン、ロータリースイッチなどで行えるようにしてもよい。また、ユーザが「リピート」や「もう一度言って」等のフレーズを発すると、加熱調理器が音声認識して、上記リピート出力をさせるようにしてもよい。これにより、ユーザは、スピーカ９０が出力した音声の内容を聞き逃したとき、この音声の内容を容易に聞き直すことができる。
【０１１１】
（第３実施形態）
図３３は本発明の第３実施形態の加熱調理器の制御ブロック図である。なお、図３３において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１１２】
上記加熱調理器は、上記第１実施形態の加熱調理器と比べ、制御装置２１１０を備えている点だけが異なっている。この制御装置２１１０は、制御装置１１０とは一部が異なるが、制御装置１１０と同様に、マイクロコンピュータと入出力回路などからなる。
【０１１３】
また、上記制御装置２１１０は、スピーカ制御部２１４０を有している。このスピーカ制御部２１４０も、スピーカ制御部１４０と同様に、ソフトウェアで構成されている。
【０１１４】
上記第３実施形態の加熱調理器は、上記第１実施形態の加熱調理器と同様に、被加熱物８９を加熱することができる。
【０１１５】
図３４は、上記スピーカ制御部２１４０の制御を説明するためのフローチャートである。
【０１１６】
上記制御がスタートすると、まず、ステップＳ４０１で、制御装置２１１０は、スピーカ９０に音声を出力させる音声があるか否か、具体的には、管理サーバ５００から料理の評価等の問合せが来たか否かを判定する。このステップＳ４０１で、管理サーバ５００から問合せが来ていないと判定されると、再び、ステップＳ４０１を行う。一方、ステップＳ４０１で、管理サーバ５００から問合せが来たと判定されると、次のステップＳ４０２に進む。
【０１１７】
次に、ステップＳ４０２で、表示制御部１３０がＬＥＤランプ１４１をピンク色に点灯させ、次のステップＳ４０３に進む。
【０１１８】
次に、ステップＳ４０３で、制御装置２１１０は、扉センサ３９によって扉３が開状態か否かを判定する。このステップＳ４０３で、扉３が開状態でないと判定されると、再び、ステップＳ４０３を行う。一方、ステップＳ４０３で、扉３が開状態であると判定されると、次のステップＳ４０４に進む。
【０１１９】
次に、ステップＳ４０４で、スピーカ制御部２１４０は、「扉が開いている状態では音声を検出できない」旨の音声をスピーカ９０から出力させる。その後、ステップＳ４０１に戻る。ここで、上記音声をスピーカ９０から出力させるのは、マイク１９が扉３の操作パネル９の前面に設けられているため、扉３が開いているとユーザの正面にマイク１９が位置しなくなり、音声の検出が困難になるからである。
【０１２０】
これにより、例えばスピーカ９０に音声を出力させる音声があるときに扉センサ３９が扉３の開状態を検出した場合には、扉３が開いていると音声を検出できないことをスピーカ９０が出力する。したがって、扉３が開いていると音声を検出できないことを、より確実にユーザに知らせることでき、音声の検出に失敗するのを防ぐことができる。
【０１２１】
（第４実施形態）
図３５は本発明の第４実施形態の加熱調理器の制御ブロック図である。なお、図３５において、上記第１実施形態の構成部と同一構成部は、上記第１実施形態の構成部の参照番号と同一参照番号を付している。また、以下の説明においても、上記第１実施形態の構成部と同一構成部は、上記第１実施形態の構成部の参照番号と同一参照番号を付している。
【０１２２】
上記加熱調理器は、上記第１実施形態の加熱調理器と比べ、制御装置３１１０を備えている点だけが異なっている。この制御装置３１１０は、制御装置１１０とは一部が異なるが、制御装置１１０と同様に、マイクロコンピュータと入出力回路などからなる。
【０１２３】
また、上記制御装置３１１０は、加熱設定部１８０を有している。この加熱設定部１８０は、ソフトウェアで構成されている。加熱設定部１８０は、マイク１９が検出した音声に含まれるマグネトロン４，ヒータ２０，および蒸気発生用ヒータ７３等の加熱設定情報に基づいて、マグネトロン４，ヒータ２０，および蒸気発生用ヒータ７３等の加熱モード、加熱時間、または加熱温度のうちの少なくとも１つを設定するようになっている。
【０１２４】
上記第４実施形態の加熱調理器は、上記第１実施形態の加熱調理器と同様に、被加熱物８９を加熱することができる。
【０１２５】
図３６は、上記加熱設定部１８０の設定を説明するためのフローチャートである。
【０１２６】
上記制御がスタートすると、まず、ステップＳ５０１で、制御装置３１１０は、「おはなし」キー１４が選択されたか否かを判定する。このステップＳ５０１で、「おはなし」キー１４が選択されていないと判定されると、再び、ステップＳ５０１を行う。一方、ステップＳ５０１で、「おはなし」キー１４が選択されたと判定されると、次のステップＳ５０２に進む。
【０１２７】
次に、ステップＳ５０２で、制御装置３１１０は、認識した音声が所定の加熱仕様情報、より詳しくは、マイク１９が検出した音声に含まれるマグネトロン４，ヒータ２０，および蒸気発生用ヒータ７３等の加熱設定情報を全て含むか否か判定する。上記加熱設定情報を全て含むと判定すると、次のステップＳ５０３に進む一方、上記加熱設定情報を全て含まないと判定すると、次のステップＳ５０４に進む。
【０１２８】
次に、ステップＳ５０３で、スピーカ制御部１４０は、マイク１９が検出した音声に含
まれるマグネトロン４，ヒータ２０，および蒸気発生用ヒータ７３等の加熱設定情報に基づいて、スピーカ９０に音声を出力させる。このとき、表示制御部１３０は、カラー液晶パネル１０に発話中の表示を表示させると共に、ＬＥＤランプ１４１を青色に点灯させる。その後、次のステップＳ５０５に進む。上記音声の一例としては、「レンジ、５００W、１分」や、「ウォーターオーブン、予熱なし、５分」などがある。
【０１２９】
一方、ステップＳ５０４で、スピーカ制御部１４０は、マイク１９が検出した音声に含まれないマグネトロン４，ヒータ２０，および蒸気発生用ヒータ７３等の加熱設定情報を特定する旨の音声をスピーカ９０に出力させ、ステップＳ５０２に戻る。この音声の一例としては、「加熱時間も教えてね。」がある。
【０１３０】
次に、ステップＳ５０５で、加熱設定部１８０は、マグネトロン４，ヒータ２０，および蒸気発生用ヒータ７３等の加熱モード、加熱時間、または加熱温度を設定する。また、上記表示制御部１３０は、上記加熱設定情報をカラー液晶パネル１０に表示する。
【０１３１】
これにより、上記加熱設定部１８０は、マイク１９が検出した音声に含まれるマグネトロン４，ヒータ２０，および蒸気発生用ヒータ７３等の加熱設定情報に基づいて、マグネトロン４，ヒータ２０，および蒸気発生用ヒータ７３等の加熱モード、加熱時間、または加熱温度を設定する。このため、ユーザは、加熱調理器１００に触れることなく、マグネトロン４，ヒータ２０，および蒸気発生用ヒータ７３等の加熱モード、加熱時間、または加熱温度を設定できる。したがって、ユーザは、手がふさがっているためにボタンを押せないときや、手が濡れていたり汚れていたりするときでも、上記加熱設定をすることができ、ユーザの操作時の負担を軽減できる。
【０１３２】
なお、上記第４実施形態では、制御装置３１１０は、認識した音声が所定の加熱仕様情報、より詳しくは、マイク１９が検出した音声に含まれるマグネトロン４，ヒータ２０，および蒸気発生用ヒータ７３等の加熱設定情報を全て含むか否か判定させていたが、これに限られない。例えば、制御装置は、マグネトロン４，ヒータ２０，および蒸気発生用ヒータ７３等の加熱設定情報の少なくとも１つを含むか否か判定し、その後、不足する加熱設定情報を１つずつユーザに問い合わせるようにしてもよい。
【０１３３】
また、上記第１〜４実施形態では、表示制御部１３０は、音声入力待ちの表示や、音声検出中の表示等をカラー液晶パネル１０に表示すると共に、ＬＥＤランプ１４１を点灯させていたが、これに限らず、カラー液晶パネル１０の表示またはＬＥＤランプ１４１の点灯のどちらか一方のみであってもよい。
【０１３４】
また、上記第１〜４実施形態では、表示制御部１３０は、音声入力待ちの表示や、音声検出中の表示等をカラー液晶パネル１０に表示するときの表示色と、ＬＥＤランプ１４１の点灯色とを同じ色にしていたが、これに限らず、カラー液晶パネル１０の表示色とＬＥＤランプ１４１の点灯色とを異なる色にしてもよい。
【０１３５】
また、上記第１〜４実施形態では、スピーカ制御部１４０，１１４０，２１４０等は、ソフトウェアで構成したが、スイッチ、タイマ、比較器、増幅器などのハードウェアで構成してもよい。
【０１３６】
本発明の具体的な実施形態について説明したが、本発明は上記実施形態に限定されるものではなく、本発明の範囲内で種々変更して実施することができる。例えば、本発明の一実施形態は、上記第１〜４実施形態で記載した内容を適宜組み合わせたものであってもよい。
【０１３７】
本発明および実施形態を纏めると、次のようになる。
【０１３８】
本発明の加熱調理器は、
被加熱物８９を収容する加熱室２と、
表示部１０，１４１と、
音声を検出する音声検出部１９と、
音声を出力する音声出力部９０と、
上記音声検出部１９を起動したり、上記音声出力部９０を起動したりする操作部１４と、
上記操作部１４により上記音声検出部１９が音声を検出するとき、第１の表示を表示するように制御し、上記操作部１４により上記音声出力部９０が音声を出力しているとき、上記第１の表示とは異なる第２の表示を表示するように上記表示部１０，１４１を制御する表示制御部１３０と
を備える。
【０１３９】
上記構成によれば、上記表示制御部１３０によって、上記音声検出部１９が音声を検出する音声検出状態のとき、上記第１の表示が上記表示部１０，１４１に表示され、上記音声出力部９０が音声を出力している音声出力状態のとき、上記第２の表示が上記表示部１０，１４１に表示される。したがって、ユーザは、第１の表示と第２の表示とによって、上記音声検出状態と上記音声出力状態とを容易に区別できる。
【０１４０】
また、一実施形態の加熱調理器では、
予め定められた音声情報を記憶する記憶部１５０と、
上記音声検出部１９が検出した音声に対応する検出音声情報と、上記記憶部１５０が記憶している上記音声情報とを照合する照合部１６０と
を有し、
上記表示制御部１３０は、上記照合部１６０が上記検出音声情報と上記音声情報とを照合しているとき、上記第１，第２の表示とは異なる第３の表示を表示するように上記表示部１０，１４１を制御する。
【０１４１】
上記実施形態によれば、上記表示制御部１３０によって、上記照合部１６０が上記検出音声情報と上記音声情報とを照合しているとき、上記第３の表示が上記表示部１０，１４１に表示される。したがって、ユーザは、上記第３の表示によって、照合部１６０が上記検出音声情報と上記音声情報とを照合していることを容易に判別できる。
【０１４２】
また、一実施形態の加熱調理器では、
上記音声検出部１９が検出した音声に基づいて、上記音声出力部９０を制御する音声制御部１４０を備え、
上記表示制御部１３０は、上記音声制御部１４０の制御によって上記音声出力部９０が音声を出力しているとき、上記第１，第２の表示とは異なる第４の表示を表示するように上記表示部１０，１４１を制御する。
【０１４３】
上記実施形態によれば、上記表示制御部１３０によって、上記音声制御部１４０の制御によって上記音声出力部９０が音声を出力しているとき、上記第４の表示が上記表示部１０，１４１に表示される。したがって、ユーザは、上記第４の表示によって、音声出力部９０が音声を出力していることを容易に判別できる。
【０１４４】
また、一実施形態の加熱調理器では、
上記表示制御部１３０は、音声をリピートさせるための画像を表示するように、上記表示部１０，１４１を制御し、ユーザが上記画像を選択すると、上記音声出力部９０が出力
している音声を、または、上記音声出力部９０が音声を出力した後には前回出力した音声と同じ音声を、上記音声出力部９０が再度出力するように、上記音声出力部９０を制御する。
【０１４５】
上記実施形態によれば、ユーザが上記画像を選択すると、上記音声出力部９０が出力している音声を、または、上記音声出力部９０が音声を出力した後には前回出力した音声と同じ音声を、上記音声出力部９０が再度出力する。したがって、ユーザは、音声出力部９０が出力した音声の内容を聞き逃したとき、この音声の内容を聞き直すことができる。
【０１４６】
また、一実施形態の加熱調理器では、
上記加熱室２の開口部２ａを開閉すると共に、前面に上記音声検出部１９が設けられた扉３と、
上記扉３の開状態を検出する開状態検出部３９と
を備え、
上記開状態検出部３９が上記扉３の開状態を検出した場合には、上記扉３が開いていると上記音声検出部１９が音声を検出できないことを、上記音声出力部９０が出力するように、上記音声出力部９０を制御する。
【０１４７】
上記実施形態によれば、上記開状態検出部３９が上記扉３の開状態を検出した場合には、上記扉３が開いていると上記音声検出部１９が音声を検出できないことを、上記音声出力部９０が出力する。したがって、上記扉３が開いていると音声を検出できないことを、より確実にユーザに知らせることでき、音声の検出に失敗するのを防ぐことができる。
【０１４８】
また、一実施形態の加熱調理器では、
上記加熱室内の被加熱物８９を加熱するための加熱部４，２０，７３と、
上記音声検出部１９が検出した音声に含まれる上記加熱部４，２０，７３の加熱設定情報に基づいて、上記加熱部４，２０，７３の加熱モード、加熱時間、または加熱温度のうちの少なくとも１つを設定する加熱設定部１８０とを備える。
【０１４９】
上記実施形態によれば、上記加熱設定部１８０は、上記音声検出部１９が検出した音声に含まれる上記加熱部４，２０，７３の加熱設定情報に基づいて、上記加熱部４，２０，７３の加熱モード、加熱時間、または加熱温度のうちの少なくとも１つを設定する。したがって、ユーザは、加熱調理器に触れることなく、上記加熱部４，２０，７３の加熱モード、加熱時間、または加熱温度を設定できる。
【符号の説明】
【０１５０】
２…加熱室
２ａ…開口部
３…扉
４…マグネトロン
９…操作パネル
１０…カラー液晶パネル
１４…「おはなし」キー
１９…マイク
２０…ヒータ
３９…扉センサ
７３…蒸気発生用ヒータ
９０…スピーカ
１００…加熱調理器
１１０，１１１０，２１１０，３１１０…制御装置
１２０…無線通信モジュール
１３０…表示制御部
１４０，１１４０，２１４０…スピーカ制御部
１４１…ＬＥＤランプ
１５０…音声情報記憶部
１６０…照合部
１７０…お気に入り調理メニュー記憶部
１８０…加熱設定部
２００…無線アクセスポイント
５００…管理サーバ
５１０…履歴記憶部
５２０…レシピ情報記憶部
５３０…調理メニュー評価記憶部
５４０…通信部
【図１】
2019124465.tif 000003
【図２】
2019124465.tif 000004
【図３】
2019124465.tif 000005
【図４】
2019124465.tif 000006
【図５】
2019124465.tif 000007
【図６】
2019124465.tif 000008
【図７】
2019124465.tif 000009
【図８】
2019124465.tif 000010
【図９】
2019124465.tif 000011
【図１０】
2019124465.tif 000012
【図１１】
2019124465.tif 000013
【図１２】
2019124465.tif 000014
【図１３】
2019124465.tif 000015
【図１４】
2019124465.tif 000016
【図１５】
2019124465.tif 000017
【図１６】
2019124465.tif 000018
【図１７】
2019124465.tif 000019
【図１８】
2019124465.tif 000020
【図１９】
2019124465.tif 000021
【図２０】
2019124465.tif 000022
【図２１】
2019124465.tif 000023
【図２２】
2019124465.tif 000024
【図２３】
2019124465.tif 000025
【図２４】
2019124465.tif 000026
【図２５】
2019124465.tif 000027
【図２６】
2019124465.tif 000028
【図２７】
2019124465.tif 000029
【図２８】
2019124465.tif 000030
【図２９】
2019124465.tif 000031
【図３０】
2019124465.tif 000032
【図３１】
2019124465.tif 000033
【図３２】
2019124465.tif 000034
【図３３】
2019124465.tif 000035
【図３４】
2019124465.tif 000036
【図３５】
2019124465.tif 000037
【図３６】
2019124465.tif 000038